(57)【要約】【課題】二枚の壁パネルに渡って連結材が壁パネルの背面に嵌合し、壁パネル同士を連結する壁パネルの接続部に適用可能な止水性にすぐれた止水構造を実現する。【解決手段】連結材３と第１および第の壁パネル１、２の間に止水材３５を設け、止水材３５の第１の端部３６には溝付き連結材２２が嵌合する連結材嵌合部４１を設け、第２の端部３７には突起付き連結材１２と嵌合せず突起付き連結材１２と第２の壁パネル２の折り返し当接部８の間に挟持される被挟持部４９を設け、止水材３５の中央部３８には浴室側方向に窪んだ窪み部５３が形成されており、窪み部５３の底部５４は略M字状に形成され、略M字状の室内側方向の中央に、第１および第２の壁パネル１、２の折り返し端部７に当接するヒレ部５５が設けられている。【選択図】図７
2020084615.tif 000002
【特許請求の範囲】
【請求項１】
二枚の壁パネルに渡って連結材が壁パネルの背面に嵌合し、壁パネル同士を連結する壁パネルの止水構造であって、連結材と壁パネルの間に止水材が設けられており、止水材の一方の端部には連結材が嵌合する連結材嵌合部が設けられており、他方の端部は連結材と嵌合せず連結材と壁パネルに挟持される被挟持部を備えており、止水材の中央部は室外側方向に窪んで窪み部が形成されており、窪み部の底部は略M字状に形成され、略M字状の室内側方向の中央に壁パネル端部に当接するヒレ部が設けられていることを特徴とする壁パネルの止水構造。
【請求項２】
請求項１に記載の壁パネルの止水構造であって、連結材は二つの連結材から構成され、二つの連結材が嵌合して二枚の壁パネルが連結され、一方の連結材は連結材嵌合部と嵌合し、他方の連結材は挟持部と当接することを特徴とする壁パネルの止水構造。          
【請求項３】
請求項１または２に記載の壁パネルの止水構造であって、窪み部の底部の両端部に接続される窪み部の側部は連結材と壁パネルにそれぞれ当接することを特徴とする壁パネルの止水構造。 
【発明の詳細な説明】
【技術分野】
【０００１】
本発明は、壁パネルの止水構造に関し、より詳しくは、二枚の壁パネルに渡って連結材が壁パネルの背面に嵌合し、壁パネル同士を連結する壁パネルの止水構造に関するものである。
【背景技術】
【０００２】
従来、浴室の壁の連結部の止水のためにパッキンを連結部に設ける止水構造は知られており、そのような止水構造が、浴室内から見えないようにされた構成が知られている。
【０００３】
例えば、壁パネル側縁に取付けられたスペーサー条材を、支柱内に弾性的に嵌合させ、支柱の係止片部に被係合面を係合させることによって、壁パネル相互が支柱を介して連結され、スペーサー条材間も圧潰されるシール条材でシールされる構成が知られている（特許文献１参照）。
【０００４】
また、隣接する二枚のパネルを支柱を介して連結する連結装置において、二枚のパネルにそれぞれ形成された折曲片先端の折返し部を、支柱の室内側開口部内に嵌入し、隣接するパネルの折返し部同士を突合せて、樹脂等で形成したジョイナーおよびシール片を介して弾性的に嵌合係止した構成が知られている（特許文献２参照）。
【先行技術文献】
【特許文献】
【０００５】
【特許文献１】実公平１−２５１３８号公報
【特許文献２】特開平６−１０８５６０公報
【発明の概要】
【発明が解決しようとする課題】
【０００６】
上記従来技術は、隣接する二つのパネルをスペーサ条片あるいはジョイナーを介して支柱内に嵌合し水密的に接続する構成である。しかし、このような構成は、隣接する二つのパネルを、二つの連結材で、簡単かつしっかりと接続するための接続構造では、必ずしも適用できない。
【０００７】
本発明は、隣接する二つのパネルを、二つの連結材で、簡単かつしっかりと接続するための接続構造に適用可能な止水性にすぐれた止水構造を実現することを課題とする。
【課題を解決するための手段】
【０００８】
本発明は上記課題を解決するために、二枚の壁パネルに渡って連結材が壁パネルの背面に嵌合し、壁パネル同士を連結する壁パネルの止水構造であって、連結材と壁パネルの間に止水材が設けられており、止水材の一方の端部には連結材が嵌合する連結材嵌合部が設けられており、他方の端部は連結材と嵌合せず連結材と壁パネルに挟持される被挟持部を備えており、止水材の中央部は室外側方向に窪んで窪み部が形成されており、窪み部の底部は略M字状に形成され、略M字状の室内側方向の中央に壁パネル端部に当接するヒレ部が設けられていることを特徴とする壁パネルの止水構造を提供する。
【０００９】
連結材は二つの連結材から構成され、二つの連結材が嵌合して二枚の壁パネルが連結され、一方の連結材は連結材嵌合部と嵌合し、他方の連結材は挟持部と当接することが好ましい。
【００１０】
窪み部の底部の両端部に接続される窪み部の側部は連結材と壁パネルにそれぞれ当接することが好ましい。 
【発明の効果】
【００１１】
本発明によれば、連結材と壁パネルの間に止水材が設けられており、止水材の一方の端部には連結材嵌合部が、他方の端部には連結材と壁パネルに挟持される被挟持部が設けられており、止水材の中央部には、略Ｍ字状の底部を有する室外側に向けた窪み部が形成され、底部に壁パネル端部に当接するヒレ部が設けられていることで、止水材の前後左右方向の位置を適切な位置にキープすることができ、そのために確実に止水でき、また浴室内側から連結材等が見えないので、壁パネルの接続部の見栄えが良い。
【図面の簡単な説明】
【００１２】
【図１】本発明の実施例における止水構造が適用される二枚の壁パネルおよびその接続構造を説明する図であり、（ａ）、（ｂ）は、接続される二枚の壁パネルの構成を示し、（ａ）は背面図であり、（ｂ）は接続される側端部の平面図であり、（ｃ）は、本発明の止水構造を設けない状態の二枚の壁パネルが連結材で接続された接続構造を参考例として示す平面図である。
【図２】上記実施例において、二枚の壁パネルを連結する連結材を説明する図であり、突起付き連結材について、（ａ）は正面側から見た図であり、（ｂ）は背面側から見た図と平面図であり、溝付き連結材について、（ｃ）は正面側から見た図であり、（ｄ）は背面側から見た図と平面図である。
【図３】上記実施例における止水材の構成を説明する図であり、（ａ）は浴室側の斜めから見た斜視図であり、（ｂ）は平面図である。
【図４】上記実施例における止水構造を組み立てる工程を説明する図で、（ａ）は連結材を示し、（ｂ）、（ｃ）は止水材を連結材に組み込んだ状態を示す図であり、（ｂ）は浴室側の斜めから見た斜視図であり、（ｃ）は平面図である。
【図５】上記実施例における止水構造を組み立てる工程を説明する図で、（ａ）は止水材を組み込んだ連結材に第１の壁パネルを嵌合する前の状態を示し、（ｂ）は嵌合後の状態を示す。
【図６】上記実施例における止水構造を組み立てる工程を説明する図で、（ａ）は止水材を組み込み、第１の壁パネルを嵌合した連結材に第２の壁パネルを嵌合する前の状態を示し、（ｂ）は嵌合後の状態を示し、連結材で連結された第１の壁パネルと第２の壁パネルすの接続構造とその止水構造を示す。
【図７】上記実施例における止水構造を示す図であり、（ａ）は止水構造も含め二枚の壁パネルの接続構造全体を示す平面図であり、（ｂ）は止水構造を主にした（ａ）の拡大図である。
【発明を実施するための形態】
【００１３】
本発明に係る止水材を実施するための形態を実施例に基づき図面を参照して、以下説明する。
【実施例】
【００１４】
（二枚壁パネルの接続構造）
【００１５】
以下、本発明の実施例について図１〜図７を参照して説明する。本発明は、浴室を形成する壁において、二枚の壁パネルに渡って連結材が壁パネルの背面に嵌合し、壁パネル同士を連結する壁パネルの接続部に適用する止水構造に関する発明であるが、まず、本発明の止水構造を適用する二つの壁パネルの連結材による接続部の接続構造について、図１および図２を参照して説明する。
【００１６】
なお、本明細書では、壁パネルおよび連結材等について、浴室内側を正面側とも言い、浴室外側を背面側とも言う。
【００１７】
図１（ａ）は、第１の壁パネル１と第２の壁パネル２が、互いに連結材３で接続される側端部が対面するように、隣接して一直線上に並べた状態を、浴室外側（背面側）から見た図である。
【００１８】
第１の壁パネル１と第２の壁パネル２は、図１（ｂ）に示すように、それぞれ浴室の内側に面した正面パネル部６と、その側端部において浴室外側に折り曲げられた折り返し部７を備えている。折り返し部７は、平面視で略ム字状に形成されており、その先端側に、浴室内側斜め方向に折り返された折り返し当接部８が形成されている。
【００１９】
連結材３は、突起付き連結材１２と溝付き連結材２２とから成る（図４（ａ）等参照）。突起付き連結材１２は、図２（ａ）、（ｂ）、図４（ａ）、図７（ａ）、（ｂ）等に示すように、第２の壁パネル２の正面パネル部６の背面に対面し止水材３５を介して当接する壁当接部１３と、溝付き連結材２２と当接して連結材同士が接続される連結材接続部１４を備えている。
【００２０】
壁当接部１３は、第２の壁パネル２の折り返し当接部８に対面し止水材３５を介して当接する折り返し壁１５を備えている（図７（ａ）、（ｂ）等参照）。折り返し壁１５は、壁当接部１３の先端が背面側斜め方向に折り返されて形成されている。
【００２１】
突起１６は、図２（ａ）、（ｂ）に示すように、小径部１７と大径部１８から成り、小径部１７は、連結材接続部１４に固定されており、大径部１８が連結材接続部１４の背面側に位置するように設けられている。
【００２２】
溝付き連結材２２は、図２（ｃ）、（ｄ）、図７（ａ）、（ｂ）等に示すように、第１の壁パネル１の正面パネル部６の背面に対面し止水材３５を介して当接する壁当接部２３と、突起付き連結材１２と当接して連結材同士が接続される連結材接続部２４を備えている。
【００２３】
壁当接部２３は、第１の壁パネル１の折り返し当接部８に対面し止水材３５を介して当接する折り返し壁２５を備えている。折り返し壁２５は、壁当接部２３の先端が背面側斜め方向に折り返されて形成されている。この溝付き連結材２２の連結材接続部２４の端部には、浴室内側方向に折り返された連結材位置決め部２６が設けられている。
【００２４】
溝２７は、連結材接続部２４に設けられ、上下方向に延び、かつ浴室の内外方向へ貫通して形成されており、図２（ｃ）、（ｄ）に示すように、略円形の突起挿入部２８と、突起挿入部２８から斜め下方に延びる細溝２９を備えている。     
【００２５】
突起挿入部２８は、突起１６の大径部１８より若干大きく形成されており、突起１６の大径部１８が挿通可能である。細溝２９は、突起１６の大径部１８より細幅であって、突起１６の小径部１７より太幅に形成されており、突起１６の大径部１８は細溝２９から抜け出ず、突起１６の小径部１７は、細溝２９に沿って移動可能なように挿通される。
【００２６】
以上は、互いに接続される隣接する第１の壁パネル１と第２の壁パネル２と、第１の壁パネル１と第２の壁パネル２を接続する連結材３の構成であるが、図１（ｃ）は、仮に本発明の止水構造５９（図７（ａ）、（ｂ）参照）を採用しない場合の、連結材３で接続される第１の壁パネル１と第２の壁パネル２の接続構造を、参考例として示す。
【００２７】
この参考例の接続構造では、図１（ｃ）で示すように、第１の壁パネル１と第２の壁パネル２は、互いに寄せ合うように移動し、第１の壁パネル１および第２の壁パネル２の折り返し当接部８は、それぞれ溝付き連結材２２の折り返し壁２５および突起付き連結材１２の折り返し壁１５と当接した状態で接続される。
【００２８】
（止水材）
本発明の止水構造５９（図７（ａ）、（ｂ）参照）は止水材３５を有するが、まず、止水材３５の構成を、図３（ａ）、（ｂ）を参照して説明する。止水材３５は、全体的には上下方向に延びる条片として形成されており、図３（ａ）、（ｂ）に示すように、浴室内側方向に向かって左側の第１の端部３６と、右側の第２の端部３７と、第１および第２の端部３６、３７の間の中央部３８と、を備えている。
【００２９】
止水材３５の第１の端部３６は、図３（ｂ）に示すように、平面視で略ヒ字状に形成されており、その中央部３８側には、溝付き連結材２２が嵌合する（図４（ｃ）等参照）連結材嵌合部４１が設けられている。
【００３０】
より具体的には、止水材３５の第１の端部３６は、図３（ｂ）に示すように、第１の壁パネル１の正面パネル部６に当接するように横幅方向に延びる帯部４４と、帯部４４の中央部３８側において浴室外側方向に屈曲して延びるへの字状の中央側屈曲部４５と、帯部４４の端部側において浴室外側方向に屈曲して延びるへの字状の端部屈曲部４６とを備えている。連結材嵌合部４１は、これら帯部４４、中央側屈曲部４５および端部屈曲部４６から形成されている。
【００３１】
止水材３５の第２の端部３７は、平面視で全体的に略レ字状に形成されており、第２の壁パネル２の正面パネル部６に当接する帯部５０と、帯部５０の中央部３８側が折り返されて成る被挟持部４９と、を備えている。被挟持部４９は、突起付き連結材１２の折り返し壁１５と第２の壁パネル２の折り返し当接部８の間で挟持される（図７（ａ）、（ｂ）参照）。
【００３２】
止水材３５の中央部３８は、図３（ａ）、（ｂ）に示すように、室外側方向に窪んだ窪み部５３が形成されている。窪み部５３の底部５４（窪み部５３において平面視で浴室外側方向に位置する部分。図３（ｂ）参照）は、略Ｍ字状（図中では逆Ｍ字状に見えるが、浴室外側に向けては略Ｍ字状である。或いは略Ｗ字状でもある。）に形成されている。
【００３３】
底部５４における略Ｍ字状の室内側方向の中央に、第１の壁パネル１および第２の壁パネル２の端部における折り返し部７に当接する（図７（ａ）、（ｂ）参照）ヒレ部５５が設けられている。ヒレ部５５は、底部５４の中央から室内側方向に向けて、平面視で略Ｖ字状に延びるように形成されている。
【００３４】
なお、より厳密には、第１の端部３６の中央側屈曲部４５および第２の端部の挟持部４９も、底部５４とともに窪み部５３を構成する一部ともなっているとも言える。要するに、中央側屈曲部４５および挟持部４９は、窪み部５３の構成要素を兼ねているとも言える。
【００３５】
止水材３５のうち、第１の端部３６、第２の端部３７および中央部３８から成る本体部５６は、硬質の樹脂材などで形成されており、ヒレ部５５は軟質の樹脂材などで形成されている。そして、本体部５６とヒレ部５５は、一体で成形されている。
【００３６】
（止水構造）
第１の壁パネル１と第２の壁パネル２を連結材３で接続するが、その接続部における止水性を向上させるために、上記止水材３５を適用した止水構造５９（図７（ａ）、（ｂ）参照）について、以下説明する。
【００３７】
ここでは、止水材３５を組み込んだ連結材３によって、 第１の壁パネル１と第２の壁パネル２を接続する組立の工程を通して、止水構造５９の構成について説明する。
【００３８】
連結材３で第１の壁パネル１と第２の壁パネル２を接続するために、まず、連結材３の準備をする。即ち、図４（ａ）に示すように、突起付き連結材１２を、溝付き連結材２２の内側に沿うように入れて、突起１６を、溝付き連結材２２の突起挿入部２８を通して挿通し、浴室の外側方面に向けて突出した状態として配置する。
【００３９】
そして、図４（ｂ）、（ｃ）に示すように、連結材３に止水材３５を組み込む。この組み込んだ状態では、止水材３５の連結材嵌合部４１に、溝付き連結材２２における折り返し壁２５を含め壁当接部２３が嵌合している。また、止水材３５の第２の端部３７の帯部５０には突起付き連結材１２の壁当接部１３が当接している。
【００４０】
次に、図５（ａ）、（ｂ）に示すように、止水材３５を組み込んだ連結材３に、第１の壁パネル１を浴室内側から接近させ、第１の壁パネル１の折り返し部７を止水材３５の窪み部５３内に挿入する。なお、図５（ａ）では、連結材３に、第１の壁パネル１を浴室内側から接近させた状態を示したが、その逆で、連結材３を第１の壁パネル１を浴室外側から接近させても良い。
【００４１】
そして、図５（ｂ）に示すように、第１の壁パネル１の折り返し当接部８を、止水材３５における第１の端部３６の中央側屈曲部４５に当接させるとともに、第１の壁パネル１の折り返し部７をヒレ部５５に当接させた状態とする。          
【００４２】
このようにして、止水材３５を組み込み第１の壁パネル１に取り付けた連結材３に、図６（ａ）に示すように、第２の壁パネル２を浴室内側から接近させ、図６（ｂ）に示すように、第２の壁パネル２の折り返し部７を止水材３５の窪み部５３内に挿入する。この状態では、第１の壁パネル１と第２の壁パネル２の互いの折り返し部７は、対面状態となる。
【００４３】
その後、突起付き連結材１２を下降させ、突起付き連結材１２の突起の小径部１７を溝付き連結材２２の細溝２９に沿って斜め下方に移動させる。すると、突起付き連結材１２は、図６（ｂ）に示す状態から図７（ａ）に示す状態にスライドする。
【００４４】
その結果、図７（ａ）、（ｂ）に示すように、第１の壁パネル１および第２の壁パネル２は寄せ合い、互いの折り返し部７が当接して密着し、第１の壁パネル１および第２の壁パネル２は、接続されるとともに、本発明の止水構造５９が形成される。
【００４５】
本発明の止水構造５９では、図７（ｂ）に示すように、第１の壁パネル１の折り返し当接部８と溝付き連結材２２の折り返し壁２５は、それらの間に止水材３５の中央側屈曲部４５を挟持する。これによって、第１の壁パネル１の折り返し当接部８と溝部付き連結材２２の折り返し壁２５の間の水密性を確保することができる。
【００４６】
また、第２の壁パネル２の折り返し当接部８と突起付き連結材１２の折り返し壁１５は、それらの間に止水材３５の被挟持部４９を挟持する。これによって、第２の壁パネル２の折り返し当接部８と突起付き連結材１２の折り返し壁１５の間の水密性を確保することができる。
【００４７】
さらに、第１の壁パネル１および第２の壁パネル２の折り返し部７は、それぞれ止水材３５のヒレ部５５と当接する。これによって、第１の壁パネル１の折り返し部７と第２の壁パネル２の折り返し部７の間の水密性を確保することができる。
【００４８】
本発明の止水構造５９では、止水材３５の窪み部５３の底部５４は略Ｍ字状に形成され、平面視で略Ｍ字状の止水材３５の室内側方向の中央に、第１の壁パネル１および第２の壁パネル２の折り返し部７に当接するヒレ部５５が設けられている。
【００４９】
そして、突起付き連結材１２の折り返し壁１５と溝部付き連結材２２の折り返し壁２５のそれぞれの傾斜面によって、側方から楔状に締め付けられているので、ヒレ部５５を含め止水材３５の前後左右方向の位置を、適切な位置にキープすることができ、止水材３５がずれたりすることなく、確実に止水でき、止水性が向上する。
【００５０】
さらに、第１の壁パネル１と第２の壁パネル２の接続部に設けられた止水材３５は、浴室内側にはみ出したり、露出せず、浴室内側から見て、第１の壁パネル１と第２の壁パネル２の接続部が自然な繋がりとなり、見栄えが良い。
【００５１】
また、止水材３５を介して壁パネル（第１の壁パネル１、第２の壁パネル２）と連結材３が互いに当接した構成となっているので、壁パネルの接続構造自体の強度も向上する。
【００５２】
以上、本発明に係る壁パネルの止水構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５３】
本発明に係る壁パネルの止水構造は上記のような構成であるから、浴室の壁パネルの接続部だけでなく、建屋における止水性を要する部屋の壁パネルの接続部等にも適用可能である。
【符号の説明】
【００５４】
１  第１の壁パネル                   
２  第２の壁パネル                   
３  連結材   
６  正面パネル部
７    第１の壁パネル及び第２の壁パネルの折り返し部                     
８    第１の壁パネル及び第２の壁パネルの折り返し当接部                 
１２  突起付き連結材               
１３  突起付き連結材の壁当接部                 
１４  突起付き連結材の連結材接続部                   
１５  突起付き連結材の折り返し壁                     
１６  突起付き連結材の突起       
１７  突起の小径部                         
１８  突起の大径部
２２  溝付き連結材                 
２３  溝付き連結材の壁当接部                       
２４  溝付き連結材の連結材接続部                   
２５  溝付き連結材の折り返し壁                     
２６  溝付き連結材の連結材位置決め部               
２７  溝付き連結材の溝                           
２８  溝の突起挿入部                   
２９  細溝   
３５  止水材
３６  止水材の第１の端部
３７  止水材の第２の端部
３８  止水材の中央部
４１  止水材の連結材嵌合部
４４  止水材の第１の端部の帯部
４５  第１の端部の中央側屈曲部
４６  第１の端部の端部屈曲部
４９  止水材の第２の端部の被挟持部
５０  止水材の第２の端部の帯部
５３  止水材の窪み部
５４  窪み部の底部
５５  ヒレ部
５６  止水材の本体部
【図１】
2020084615.tif 000003
【図２】
2020084615.tif 000004
【図３】
2020084615.tif 000005
【図４】
2020084615.tif 000006
【図５】
2020084615.tif 000007
【図６】
2020084615.tif 000008
【図７】
2020084615.tif 000009